(57)【要約】【課題】一時的な通信障害による認証異常を許容し、不要な機能抑制を防止する携帯端末を提供する。【解決手段】携帯端末１００は、認証情報を内包する認証信号をＩＣカードから間欠的に受け付け、認証情報を取得する認証情報取得部１１と、取得された認証情報に基づいてＩＣカードとの認証処理を実行する認証処理部１２と、認証処理が正常に処理されないとき、カウント値を増やし、認証処理が正常に処理されるとき、カウント値をクリアするカウント部１３と、カウント値がしきい値を超えたとき、携帯端末１００が有する機能のうち少なくとも一つを抑制する機能抑制部１４と、を備える。【選択図】図２
2010154198.tif 000002
【特許請求の範囲】
【請求項１】
認証情報を記憶しているＩＣカードと通信可能な携帯端末であって、
前記認証情報を内包する認証信号を前記ＩＣカードから間欠的に受け付け、前記認証情報を取得する認証情報取得手段と、
取得された前記認証情報に基づいて前記ＩＣカードとの認証処理を実行する認証処理手段と、
前記認証処理が正常に処理されないとき、カウント値を増やし、前記認証処理が正常に処理されるとき、前記カウント値をクリアするカウント手段と、
前記カウント値がしきい値を超えたとき、前記携帯端末が有する機能のうち少なくとも一つを抑制する機能抑制手段と、
を備えることを特徴とする携帯端末。
【請求項２】
前記機能抑制手段は、前記カウント値が前記しきい値を超えたとき、前記携帯端末が異常状態にあることを示すアラーム情報を生成する請求項１に記載の携帯端末において、
前記アラーム情報に基づいて生成されたアラーム信号を送信するアラーム信号送信手段をさらに備えることを特徴とする携帯端末。
【請求項３】
請求項１または２に記載の携帯端末において、
前記機能抑制手段は、前記機能のうち第１の機能が動作しているとき、前記第１の機能を抑制しないことを特徴とする携帯端末。
【請求項４】
請求項１乃至３いずれかに記載の携帯端末において、
前記機能抑制手段は、前記機能のうち第２の機能が動作しているとき、前記しきい値を大きくすることを特徴とする携帯端末。
【請求項５】
請求項１乃至４いずれかに記載の携帯端末において、
ユーザの入力した任意の値を前記しきい値とするしきい値入力手段を備えることを特徴とする携帯端末。
【請求項６】
認証情報を記憶しているＩＣカードと通信可能な携帯端末を制御する制御方法であって、
前記認証情報を内包する認証信号を前記ＩＣカードから間欠的に受け付け、前記認証情報を取得する認証情報取得ステップと、
取得された前記認証情報に基づいて前記ＩＣカードとの認証処理を実行する認証処理ステップと、
前記認証処理が正常に処理されないとき、カウント値を増やすカウントステップと、
前記認証処理が正常に処理されるとき、前記カウント値をクリアするカウントクリアステップと、
前記カウント値がしきい値を超えたとき、前記携帯端末が有する機能のうち少なくとも一つを抑制する機能抑制ステップと、
を備えることを特徴とする制御方法。
【請求項７】
前記機能抑制ステップは、前記カウント値が前記しきい値を超えたとき、前記携帯端末が異常状態にあることを示すアラーム情報を生成する請求項６に記載の制御方法において、
前記アラーム情報に基づいて生成されたアラーム信号を送信するアラーム信号送信ステップをさらに備えることを特徴とする制御方法。
【請求項８】
請求項６または７に記載の制御方法において、
前記機能抑制ステップは、前記機能のうち第１の機能が動作しているとき、前記第１の機能を抑制しないことを特徴とする制御方法。
【請求項９】
請求項６乃至８いずれかに記載の制御方法において、
前記機能抑制ステップは、前記機能のうち第２の機能が動作しているとき、前記しきい値を大きくすることを特徴とする制御方法。
【請求項１０】
請求項６乃至９いずれかに記載の制御方法において、
ユーザの入力した任意の値を前記しきい値とするしきい値入力ステップを備えることを特徴とする制御方法。
【請求項１１】
認証情報を記憶しているＩＣカードと、
前記ＩＣカードと通信可能な携帯端末と、を備え、
前記携帯端末は、
前記認証情報を内包する認証信号を前記ＩＣカードから間欠的に受け付け、前記認証情報を取得する認証情報取得手段と、
取得された前記認証情報に基づいて前記ＩＣカードとの認証処理を実行する認証処理手段と、
前記認証処理が正常に処理されないとき、カウント値を増やし、前記認証処理が正常に処理されるとき、前記カウント値をクリアするカウント手段と、
前記カウント値がしきい値を超えたとき、前記携帯端末が有する機能を抑制する機能抑制手段と、
を含むことを特徴とする制御システム。
【請求項１２】
認証情報を記憶しているＩＣカードと通信可能な携帯端末が備えるプロセッサに実行させるプログラムであって、
前記認証情報を内包する認証信号を前記ＩＣカードから間欠的に受け付け、前記認証情報を取得する認証情報取得処理と、
取得された前記認証情報に基づいて前記ＩＣカードとの間で実行される認証処理と、
前記認証処理が正常に処理されないとき、カウント値を増やすカウント処理と、
前記認証処理が正常に処理されるとき、前記カウント値をクリアするカウントクリア処理と、
前記カウント値がしきい値を超えたとき、前記携帯端末が有する機能を抑制する機能抑制処理と、
をプロセッサに実行させることを特徴とするプログラム。
【発明の詳細な説明】
【技術分野】
【０００１】
本発明は、携帯端末、制御方法、制御システムおよびプログラムに関する。
【背景技術】
【０００２】
近年、携帯電話に代表される携帯端末装置には、種々の個人情報が集約されている。それに伴い、携帯端末装置に記憶される情報の漏洩防止に関する技術が種々開発されている。
【０００３】
この種の技術として、特許文献１（特開２００７−３００５８７号公報）には次のような携帯端末が記載されている。この携帯端末は、ＩＣカードから識別情報を取得して認証処理を行い、認証処理により異常と判定されたとき、携帯端末の使用を不能にすることができる。これにより、この携帯端末が紛失や盗難等のためＩＣカードと通信できない領域に持ち出されたとき、第三者の不正使用を防止することができる。
【特許文献１】特開２００７−３００５８７号公報
【発明の開示】
【発明が解決しようとする課題】
【０００４】
しかしながら上記技術は、携帯端末がＩＣカードと通信可能な領域に位置しているにも関わらず、一時的な通信障害等によって認証処理が異常と判定され、携帯端末の使用が制限されるという問題点があった。
【０００５】
本発明は上記事情に鑑みてなされたものであり、その目的とするところは、一時的な認証異常を許容し、不要な機能抑制を防止する携帯端末、制御方法、制御システムおよびプログラムを提供することにある。
【課題を解決するための手段】
【０００６】
本発明によれば、認証情報を記憶しているＩＣカードと通信可能な携帯端末であって、前記認証情報を内包する認証信号を前記ＩＣカードから間欠的に受け付け前記認証情報を取得する認証情報取得手段と、取得された前記認証情報に基づいて認証処理を実行する認証処理手段と、前記認証処理が正常に処理されないとき、カウント値を増やし、前記認証処理が正常に処理されるとき、前記カウント値をクリアするカウント手段と、前記カウント値がしきい値を超えたとき、前記携帯端末が有する機能のうち少なくとも一つを抑制する機能抑制手段と、を備えることを特徴とする携帯端末が提供される。
【０００７】
また、本発明によれば、認証情報を記憶しているＩＣカードと通信可能な携帯端末を制御する制御方法であって、前記認証情報を内包する認証信号を前記ＩＣカードから間欠的に受け付け、前記認証情報を取得する認証情報取得ステップと、取得された前記認証情報に基づいて前記ＩＣカードとの認証処理を実行する認証処理ステップと、前記認証処理が正常に処理されないとき、カウント値を増やすカウントステップと、前記認証処理が正常に処理されるとき、前記カウント値をクリアするカウントクリアステップと、前記カウント値がしきい値を超えたとき、前記携帯端末が有する機能を抑制する機能抑制ステップと、を備えることを特徴とする制御方法が提供される。
【０００８】
さらに、本発明によれば、認証情報を記憶しているＩＣカードと、前記ＩＣカードと通信可能な携帯端末と、を備え、前記携帯端末は、間欠的に前記ＩＣカードから前記認証情報を内包する認証信号を受け付け、前記認証情報を取得する認証情報取得手段と、取得された前記認証情報に基づいて前記ＩＣカードとの認証処理を実行する認証処理手段と、前記認証処理が正常に処理されないとき、カウント値を増やし、前記認証処理が正常に処理されるとき、前記カウント値をクリアするカウント手段と、前記経過時間または前記異常判定回数のうち少なくとも一方がしきい値を超えたとき、前記携帯端末が有する機能を抑制する機能抑制手段と、を含むことを特徴とする制御システムが提供される。
【０００９】
さらに、本発明によれば、認証情報を記憶しているＩＣカードと通信可能な携帯端末が備えるプロセッサに実行させるプログラムであって、前記認証情報を内包する認証信号を前記ＩＣカードから間欠的に受け付け、前記認証情報を取得する認証情報取得処理と、取得された前記認証情報に基づいて前記ＩＣカードとの間で実行される認証処理と、前記認証処理が正常に処理されないとき、カウント値を増やすカウント処理と、前記認証処理が正常に処理されるとき、前記カウント値をクリアするカウントクリア処理と、前記カウント値がしきい値を超えたとき、前記携帯端末が有する機能を抑制する機能抑制処理と、をプロセッサに実行させることを特徴とするプログラムが提供される。
【発明の効果】
【００１０】
本発明は、認証処理において正常に処理されなくても、カウント値がしきい値を超えるまで、機能を抑制しないので、一時的な通信障害による認証異常を許容することができる。また、本発明は、認証処理において正常に処理されたとき、カウント値をクリアするので、断続的に発生する認証異常を許容することができる。
【００１１】
本発明によれば、一時的な認証異常を許容し、不要な機能抑制を防止する携帯端末、制御方法、制御システムおよびプログラムが提供される。
【発明を実施するための最良の形態】
【００１２】
以下、本発明の実施の形態について、図面を用いて説明する。尚、すべての図面において、同様な構成要素には同様の符号を付し、適宜説明を省略する。
【００１３】
図１は、本実施形態の携帯端末とＩＣカードとを備えた制御システムの構成図である。
【００１４】
制御システム１０００は、認証情報を記憶しているＩＣカード２００と、ＩＣカード２００と通信可能な携帯端末１００と、を備えることができる。
【００１５】
本実施形態においてＩＣカード２００は非接触型ＩＣカードであってもよく、電磁波を用いて携帯端末１００と無線接続可能であってもよい。
【００１６】
また、この無線通信の方式や用いられる電磁波の周波数帯は、いずれでもよく、適宜選択可能である。
【００１７】
また、携帯端末１００は、無線基地局３００との間で無線通信可能であってもよい。そして、無線基地局３００を介してネットワーク４００に接続してもよい。なお、ネットワーク４００は、インタネット回線でもよく、電話回線網であってもよく、これらを組み合わせたネットワークであってもよい。
【００１８】
図２は、本実施形態の携帯端末の構成図である。
【００１９】
上述のように携帯端末１００は、認証情報を記憶しているＩＣカード２００と通信可能である。そして、携帯端末１００は、認証情報を内包する認証信号をＩＣカード２００から間欠的に受け付け、認証情報を取得する認証情報取得部１１を備えてもよい。また、携帯端末１００は、取得された認証情報に基づいてＩＣカード２００との認証処理を実行する認証処理部１２を備えてもよい。さらに、携帯端末１００は、認証処理が正常に処理されないとき、カウント値を増やし、認証処理が正常に処理されるとき、カウント値をクリアするカウント部１３を備えてもよい。さらに、携帯端末１００は、カウント値がしきい値を超えたとき、携帯端末１００が有する機能のうち少なくとも一つを抑制する機能抑制部１４を備えてもよい。
【００２０】
認証情報取得部１１、認証処理部１２、カウント部１３および機能抑制部１４は、データ処理部１に内包されてもよい。
【００２１】
さらに、携帯端末１００は、ＩＣカード２００を含む多様な非接触ＩＣカードとの無線通信においてアンテナとして機能するＩＣカードアンテナ部２を備えてもよい。
【００２２】
さらに、携帯端末１００は、ユーザの操作入力を受け付ける操作入力部３を備えてもよい。操作入力部３は、キーを押下する方式でもよく、タッチパネル方式でもよい。
【００２３】
さらに、携帯端末１００は、ユーザに対して操作画面等を表示する表示部４を備えてもよい。
【００２４】
さらに、携帯端末１００は、データ処理部１が処理したデータや変数等を記憶する記憶部５を備えてもよい。また、データ処理部１は記憶部５に記憶されているプログラム等を読み込み、実行してもよい。
【００２５】
さらに、携帯端末１００は、無線基地局３００との無線通信においてアンテナとして機能する無線通信アンテナ部６を備えてもよい。
【００２６】
データ処理部１に内包される構成の全部または一部は、ハードウェアで実現されてもよい。あるいは、プロセッサに処理を実行させるプログラム（またはプログラムコード）で実現されてもよい。本実施形態において、プロセッサはデータ処理部１であってもよく、記憶媒体は記憶部５であってもよい。
【００２７】
データ処理部１に内包される構成がプログラムによって実現される場合、このプログラムは、認証情報を記憶しているＩＣカード２００と通信可能な携帯端末１００が備えるデータ処理部１（プロセッサ）に実行させてもよい。そして、このプログラムは、認証情報を内包する認証信号をＩＣカード２００から間欠的に受け付け、認証情報を取得する認証情報取得処理をデータ処理部１に実行させてもよい。また、このプログラムは、取得された認証情報に基づいてＩＣカード２００との間で実行される認証処理をデータ処理部１に実行させてもよい。さらに、このプログラムは、認証処理が正常に処理されないとき、カウント値を増やすカウント処理をデータ処理部１に実行させてもよい。さらに、このプログラムは、認証処理が正常に処理されるとき、カウント値をクリアするカウントクリア処理をデータ処理部１に実行させてもよい。さらに、このプログラムは、カウント値がしきい値を超えたとき、携帯端末１００が有する機能を抑制する機能抑制処理をデータ処理部１に実行させてもよい。
【００２８】
認証情報取得部１１において、認証信号を受け付ける時間間隔は等間隔であってもよく、そうでなくてもよい。
【００２９】
認証処理部１２が実行する上記認証処理の方式はいずれでもよい。例えば、携帯端末１００とＩＣカード２００とに対して定められた特有の識別情報が認証情報に含まれており、認証処理部１２は所定時間ごとに受け付けた認証信号に内包される識別情報を取得して、携帯端末１００に記憶している識別情報と照合して一致したとき、認証処理を正常に処理可能としてもよい。また、認証処理部１２は、上記所定時間内に当該識別情報を取得できないときに認証異常としてもよく、取得した識別情報が携帯端末１００に記憶している識別情報と照合して一致しないときに認証異常としてもよい。
【００３０】
カウント部１３は、認証異常の回数をカウントしてもよく、認証異常が発生してからの経過時間をカウントしてもよい。また、カウント部１３は、認証異常の回数および認証異常が発生してからの経過時間の双方をカウントしてもよい。
【００３１】
機能抑制部１４は、カウント部１３がカウントしたカウント値がしきい値を超えたとき、携帯端末１００が有する機能を抑制してもよい。なお、しきい値は複数回の認証異常を許容する値とする方が望ましい。カウント部１３が認証異常の回数をカウントしている場合、しきい値は少なくとも２以上の整数であることが望ましい。カウント部１３が、認証異常が発生してからの経過時間をカウントしている場合、認証情報取得部１１が認証信号を複数回受け付けることが可能な時間をしきい値とすることが望ましい。
【００３２】
機能抑制部１４が、携帯端末１００が有する機能を抑制するとは、具体的には以下のようなことが挙げられる。たとえば、携帯端末１００は、電源をオフにされてもよい。また、操作入力部３は、ユーザの操作入力受付をロックされてもよい。さらに、表示部４は、全てまたは一部の画面表示ができなくなってもよい。さらに、記憶部５に記憶されている全てまたは一部のデータの閲覧または編集ができなくなってもよい。ここに挙げた事例は、その内容が相反しない範囲で組み合わせることができる。
【００３３】
以上の構成によって、携帯端末１００は、認証処理において正常に処理されなくても、カウント値が一方がしきい値を超えるまで、携帯端末１００が有する機能を抑制しないので、一時的な通信障害による認証異常を許容することができる。また、携帯端末１００は、認証処理において正常に処理されたとき、カウント値をクリアするので、断続的に発生する認証異常を許容することができる。
【００３４】
なお、本実施形態の携帯端末１００は、以下のような構成を追加してもよい。または、上述した構成は、以下のような処理をさらに実行してもよい。
【００３５】
機能抑制部１４は、カウント値がしきい値を超えたとき、携帯端末１００が異常状態にあることを示すアラーム情報を生成してもよい。そして、携帯端末１００は、アラーム情報に基づいて生成されたアラーム信号を送信するアラーム信号送信部１５を備えてもよい。
【００３６】
この場合、アラーム信号送信部１５はアラーム信号を、無線基地局３００を介して、ネットワーク４００に接続される装置のいずれに送信してもよい。例えば、携帯端末１００を提供している企業に設置されている管理サーバ（図示せず）に送信されてもよく、ユーザの自宅や勤務先に設置されている固定端末（図示せず）に送信されてもよい。また、アラーム信号の出力方式は、電子メール、ファックスおよび電話のうちいずれでもよく、これらを組み合わせてもよい。
【００３７】
これにより、カウント値がしきい値を超えたとき、携帯端末１００を提供する企業やユーザに携帯端末１００が異常状態にあることを通知することができる。
【００３８】
さらに、通話機能を有している携帯端末１００において、機能抑制部１４が通話機能をロックすることができてもよい。この場合、通話中であれば（通話機能が動作しているとき）、通話機能をロック（抑制）しなくてもよい。通話機能以外でも、メールの閲覧、編集またはゲームのプレイ等、ユーザの操作入力を継続的に要する機能が動作しているときは、機能抑制部１４は当該機能を抑制しなくてもよい。
【００３９】
これにより、ユーザが機能を使用している最中に、その機能が抑制されることを防ぐことができる。
【００４０】
さらに、ＩＣカードアンテナ部２を用いて電子マネー取引を行う電子マネー機能を有している携帯端末１００において、機能抑制部１４が電子マネー機能をロックすることができてもよい。この場合、機能抑制部１４は、電子マネー機能が動作しているとき、しきい値を大きくしてもよい。電子マネー機能以外でも、無線通信を要する機能が動作しているときは、機能抑制部１４はしきい値を大きくしてもよい。
【００４１】
本実施形態のＩＣカード２００以外の非接触ＩＣカード、または本実施形態の認証処理以外に用いられるＩＣカードリーダ（図示せず）との通信にＩＣカードアンテナ部２が用いられる場合、ノイズが大きくなるので、認証情報が正常に伝達されない恐れがある。よって、このような通信を必要とする機能が動作しているときは、しきい値を大きくすることにより、機能抑制部１４が不要に機能を抑制することを防ぐことができる。
【００４２】
さらに、携帯端末１００は、ユーザの操作入力によりしきい値を任意の値に設定するしきい値入力部１６を備えてもよい。
【００４３】
これにより、ユーザは携帯端末１００の使用環境に応じて、しきい値を任意に設定することができる。
【００４４】
図３は、本実施形態の携帯端末を制御する制御方法を表すフローチャートである。
【００４５】
本実施形態の制御方法は、認証情報を記憶しているＩＣカード２００と通信可能な携帯端末１００を制御する制御方法である。本実施形態の制御方法は、認証情報を内包する認証信号をＩＣカード２００から間欠的に受け付け認証情報を取得する認証情報取得ステップ（ステップＳ１０２）を備えてもよい。また、本実施形態の制御方法は、取得された認証情報に基づいてＩＣカード２００との認証処理を実行する認証処理ステップ（ステップＳ１０３）を備えてもよい。さらに、本実施形態の制御方法は、認証処理が正常に処理されないとき（ステップＳ１０４のＮＯ）、カウント値を増やすカウントステップ（ステップＳ１０５）を備えてもよい。さらに、本実施形態の制御方法は、認証処理が正常に処理されるとき（ステップＳ１０４のＹＥＳ）、カウント値をクリアするカウントクリアステップ（ステップＳ１０６）を備えてもよい。さらに、本実施形態の制御方法は、カウント値がしきい値を超えたとき（ステップＳ１０７のＹＥＳ）、携帯端末１００が有する機能を抑制する機能抑制ステップ（ステップＳ１０８）を備えてもよい。
【００４６】
さらに、本実施形態の制御方法は、カウントクリアステップ（ステップＳ１０６）から認証情報取得ステップ（ステップＳ１０２）に移行してもよい。
【００４７】
さらに、本実施形態の制御方法は、カウント値がしきい値を超えないとき（ステップＳ１０７のＮＯ）、認証情報取得ステップ（ステップＳ１０２）に移行してもよい。
【００４８】
以上のステップによって、本実施形態の制御方法は、認証処理において正常に処理されなくても、カウント値が一方がしきい値を超えるまで、携帯端末１００が有する機能を抑制しないので、一時的な通信障害による認証異常を許容することができる。また、本実施形態の制御方法は、認証処理において正常に処理されたとき、カウント値をクリアするので、断続的に発生する認証異常を許容することができる。
【００４９】
なお、本実施形態の制御方法は、以下のようなステップを追加してもよい。または、上述したステップは、以下のような処理をさらに実行してもよい。
【００５０】
機能制御ステップ（ステップＳ１０８）は、カウント値がしきい値を超えたとき、携帯端末１００が異常状態にあることを示すアラーム情報を生成してもよい。この場合、本実施形態の制御方法は、アラーム情報に基づいて生成されたアラーム信号を送信するアラーム信号送信ステップ（ステップＳ１０９）を備えてもよい。
【００５１】
機能制御ステップ（ステップＳ１０８）は、携帯端末１００が有する機能のうち第１の機能（例えば通話機能）が動作しているとき、第１の機能（通話機能）を抑制しなくてもよい。
【００５２】
機能制御ステップ（ステップＳ１０８）は、携帯端末１００が有する機能のうち第２の機能（例えば電子マネー機能）が動作しているとき、しきい値を大きくしてもよい。
【００５３】
本実施形態の制御方法は、ユーザの操作入力によりしきい値を任意の値に設定するしきい値入力ステップ（ステップＳ１０１）を備えてもよい。
【００５４】
以上、図面を参照して本発明の実施形態について述べたが、これらは本発明の例示であり、上記以外の様々な構成を採用することもできる。
【００５５】
図２では、認証情報取得部１１がデータ処理部１に内包され、ＩＣカードアンテナ部２がデータ処理部１に接続している構成としている。しかし、認証情報取得部１１は、データ処理部１に内包されず、ＩＣカードアンテナ部２と一体的な構成としてもよい。この場合、データ処理部１（認証処理部１２）は認証情報取得部１１から認証情報を取得してもよい。
【００５６】
機能抑制部１４が、携帯端末１００が有するいずれかの機能が動作しているとき、動作中の機能を抑制しないことを上述した。この場合、図２には図示していないが、携帯端末１００はユーザが任意に当該機能を選択できる手段を備えてもよい。
【００５７】
機能抑制部１４が、携帯端末１００が有するいずれかの機能が動作しているとき、しきい値を大きくすることを上述した。この場合、図２には図示していないが、携帯端末１００はユーザが任意に当該機能を選択できる手段を備えてもよい。
【００５８】
また、図３に記載の制御方法は、しきい値入力ステップ（ステップＳ１０１）を認証情報取得ステップ（ステップＳ１０２）の前に実行するように記載されている。しかし、しきい値入力ステップ（ステップＳ１０１）を実行する順序は、他のステップの処理と相反しない範囲で変更可能である。
【００５９】
さらに、図３に記載の制御方法は、カウントクリアステップ（ステップＳ１０６）から認証情報取得ステップ（ステップＳ１０２）に移行するように記載されている。しかし、カウントクリアステップ（ステップＳ１０６）が実行された後、制御方法は終了としてもよい。
【００６０】
さらに、図３に記載の制御方法は、カウント値がしきい値を超えないとき（ステップＳ１０７のＮＯ）、認証情報取得ステップ（ステップＳ１０２）に移行するように記載されている。しかし、カウント値がしきい値を超えないとき（ステップＳ１０７のＮＯ）、制御方法は終了としてもよい。
【００６１】
認証情報取得ステップ（ステップＳ１０２）は、間欠的に認証信号を受け付け、認証情報を取得する。よって、他のステップから積極的に認証情報取得ステップ（ステップＳ１０２）へ移行しなくても、制御方法は認証処理を繰り返すことができる。
【００６２】
なお、当然ながら、上述した実施の形態および複数の変形例は、その内容が相反しない範囲で組み合わせることができる。また、上述した実施の形態および変形例では、各構成要素の機能などを具体的に説明したが、その機能などは本願発明を満足する範囲で各種に変更することができる。
【図面の簡単な説明】
【００６３】
【図１】本発明の実施の形態の携帯端末とＩＣカードとを備えた制御システムの構成図である。
【図２】本発明の実施の形態の携帯端末の構成図である。
【図３】本発明の実施の形態の携帯端末を制御する制御方法を表すフローチャートである。
【符号の説明】
【００６４】
１        データ処理部
２        ＩＣカードアンテナ部
３        操作入力部
４        表示部
５        記憶部
６        無線通信アンテナ部
１１      認証情報取得部
１２      認証処理部
１３      カウント部
１４      機能抑制部
１５      アラーム信号送信部
１６      しきい値入力部
１００    携帯端末
２００    ＩＣカード
３００    無線基地局
４００    ネットワーク
１０００  制御システム
【図１】
2010154198.tif 000003
【図２】
2010154198.tif 000004
【図３】
2010154198.tif 000005